(57)【要約】【課題】容易な作業で且つ低コストにて設置する遊技機を変更させることができる島設備を提供する。【解決手段】遊技機を複数並列に設置可能な島設備において、遊技機の設置部位に脱着可能とされるとともに任意の遊技機を取り付け可能な第１ユニット部材２及び第２ユニット部材３を具備し、第１ユニット部材２にパチンコ遊技機Ｐを取り付け、第２ユニット部材３にスロットマシンＳを取り付けるよう構成されたものであって、当該第１ユニット部材２及び第２ユニット部材３は、取り付ける遊技機（パチンコ遊技機Ｐ又はスロットマシンＳ）に応じて当該遊技機を固定させる固定部位の高さを異ならせて成るものである。【選択図】図４
2012139400.tif 000002
【特許請求の範囲】
【請求項１】
遊技機を複数並列に設置可能な島設備において、
前記遊技機の設置部位に脱着可能とされるとともに任意の遊技機を取り付け可能なユニット部材を具備したことを特徴とする島設備。
【請求項２】
前記ユニット部材に取り付ける遊技機は、遊技球を使用して遊技するパチンコ遊技機又はコインを使用して遊技するスロットマシンの何れか任意に設定されるとともに、当該ユニット部材は、取り付ける遊技機に応じて当該遊技機を固定させる固定部位の高さを異ならせて成ることを特徴とする請求項１記載の島設備。
【発明の詳細な説明】
【技術分野】
【０００１】
本発明は、遊技機を複数並列に設置可能な島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して遊技球の供給及び回収等を行い得るよう構成されている。一方、パチスロ等のスロットマシンの島設備は、パチンコ遊技機の島設備と同様、パチンコ店内ホールに設置され、複数のスロットマシンが横並びに配設されるとともに、それらスロットマシンに対してコインの供給及び回収等を行い得るよう構成されている。
【０００３】
ところで、パチンコ遊技機とスロットマシンを設置させた設置島は、遊技者のニーズや遊技店側の都合により、同一ホール内に任意混在させて配設することがある。従って、従来より、遊技者のニーズや遊技店の都合が変化してしまうことにより、例えばパチンコ遊技機を設置した島設備からスロットマシンを設置した島設備に変更したり、或いはスロットマシンを設置した島設備からパチンコ遊技機を設置した島設備に変更する場合があった。尚、かかる先行技術は、文献公知発明に係るものでないため、記載すべき先行技術文献情報はない。
【発明の概要】
【発明が解決しようとする課題】
【０００４】
しかしながら、上記従来の島設備においては、パチンコ遊技機を設置する場合とスロットマシンを設置する場合とでは、遊技機を設置すべき高さ寸法等が互いに異なるため、島設備の骨格自体を改修する必要があり、多大なコストがかかってしまうという不具合があった。特に、島設備の骨格から改修するには、ホールの床に骨格を構成する島柱を打ち直すなどの大掛かりな工事が必要とされることから、改修コストは著しく多大なものとなってしまう。
【０００５】
本発明は、このような事情に鑑みてなされたもので、容易な作業で且つ低コストにて設置する遊技機を変更させることができる島設備を提供することにある。
【課題を解決するための手段】
【０００６】
請求項１記載の発明は、遊技機を複数並列に設置可能な島設備において、前記遊技機の設置部位に脱着可能とされるとともに任意の遊技機を取り付け可能なユニット部材を具備したことを特徴とする。
【０００７】
請求項２記載の発明は、請求項１記載の島設備において、前記ユニット部材に取り付ける遊技機は、遊技球を使用して遊技するパチンコ遊技機又はコインを使用して遊技するスロットマシンの何れか任意に設定されるとともに、当該ユニット部材は、取り付ける遊技機に応じて当該遊技機を固定させる固定部位の高さを異ならせて成ることを特徴とする。
【発明の効果】
【０００８】
請求項１の発明によれば、遊技機の設置部位に脱着可能とされるとともに任意の遊技機を取り付け可能なユニット部材を具備したので、容易な作業で且つ低コストにて設置する遊技機を変更させることができる。特に、同一の島設備に互いに異なる遊技機を容易な作業で且つ低コストにて設置させることができ、そのレイアウトも容易且つ低コストにて変更可能である。
【０００９】
請求項２の発明によれば、ユニット部材に取り付ける遊技機は、遊技球を使用して遊技するパチンコ遊技機又はコインを使用して遊技するスロットマシンの何れか任意に設定されるとともに、当該ユニット部材は、取り付ける遊技機に応じて当該遊技機を固定させる固定部位の高さを異ならせて成るので、遊技機を最適の設置高さに保持して取り付けることができる。
【図面の簡単な説明】
【００１０】
【図１】本発明の実施形態に係る島設備（正面側）を示す全体模式図
【図２】同島設備（背面側）を示す全体模式図
【図３】同島設備（上面側）を示す全体摸式図
【図４】同島設備（側面側）を示す模式図
【図５】同島設備におけるパチンコ遊技機を設置した第１ユニット部材を示す３面図
【図６】同第１ユニット部材を示す斜視図
【図７】同第１ユニット部材におけるフレームを示す斜視図
【図８】同島設備におけるスロットマシンを設置した第２ユニット部材を示す３面図
【図９】同第２ユニット部材を示す斜視図
【図１０】同第２ユニット部材におけるフレームを示す斜視図
【図１１】同島設備（正面側）におけるパチンコ遊技機の一部をスロットマシンに変更した状態を示す全体模式図
【発明を実施するための形態】
【００１１】
以下、本発明の実施形態について図面を参照しながら具体的に説明する。
本実施形態に係る島設備は、遊技機（パチンコ遊技機及びスロットマシン）を複数並列に設置可能とされたもので、図１〜４に示すように、パチンコ遊技店内のホールに固定されたフレームＦを骨格として構成されるとともに、正面側に複数のパチンコ遊技機Ｐ（図１参照）が設置され、背面側に複数のスロットマシンＳ（パチスロと称される遊技機）（図２参照）が設置されたものである。なお、島設備１の骨格としてのフレームＦは、例えば金属製の枠体等で構成された高強度なものであり、パチンコ遊技店内のホール床面に固定されている。
【００１２】
島設備１の内部（フレームＦの内部）には、パチンコ遊技機Ｐ及びスロットマシンＳに電力を供給し得る電力供給手段（不図示）を具備するとともに、洗浄装置４と、揚送機５と、補給樋７と、回収レール８とが配設されている。揚送機５の上部には、補給タンク６が配設されており、当該補給タンク６から図１中左右方向にそれぞれ補給樋７が延設されている。而して、パチンコ遊技機Ｐから排出された遊技球は、回収レール８を介して洗浄装置４に至り、そこで洗浄された後、揚送機５にて補給タンク６まで揚送される。補給タンク６まで揚送された遊技球は、補給樋７にて流通する過程で各パチンコ遊技機Ｐに補給されることとなる。
【００１３】
島設備１の正面側に配設されたパチンコ遊技機Ｐは、周知の通り、遊技球を使用して遊技するものであり、本実施形態においては、それぞれの遊技機において払出された遊技球を計数手段Ｋ（図５参照）にて計数して遊技可能とされている。この計数手段Ｋは、各パチンコ遊技機Ｐにおける膳板２ｃに固定されている。すなわち、例えば賞球として払い出された遊技球は、ドル箱と称されるものの如き収容箱に貯留されず、計数手段Ｋにて計数された後、回収レール８にて回収されるようになっているのである。これにより、容量が大きな補給タンクを不要とすることができる。
【００１４】
一方、島設備１の背面側に配設されたスロットマシンＳは、周知の通り、メダル（コイン）を使用して遊技するものであり、本実施形態においては、それぞれの遊技機において手作業でコインを回収及び補給して遊技可能とされている。すなわち、島設備１の一端部には、図１、２に示すように、ジョッキ９が配設されており、かかるジョッキ９により遊技者又はスタッフが各スロットマシンＳにメダルを供給するようになっている。
【００１５】
また、島設備１の一端部には計数装置Ａが配設されており、本実施形態に係る計数装置Ａは、メダルを投入可能な一対の投入口１１、１２を有している。これら投入口１１、１２にメダルを投入することにより、遊技者が獲得したメダルを計数し得るとともに、計数後のメダルがリフタ１０を介してジョッキ９に至り、当該ジョッキ９にて収容可能となっている。
【００１６】
ここで、本実施形態に係る島設備１においては、遊技機（パチンコ遊技機Ｐ又はスロットマシンＳ）の設置部位に脱着可能とされるとともに任意の遊技機（パチンコ遊技機Ｐ又はスロットマシンＳ）を取り付け可能なユニット部材（第１ユニット部材２及び第２ユニット部材３）を具備している。かかるユニット部材は、パチンコ遊技機Ｐを設置可能な第１ユニット部材２と、スロットマシンＳを設置可能な第２ユニット部材３とから主に構成されている。
【００１７】
第１ユニット部材２は、島設備１のフレームＦにおける任意部位（遊技機の設置部位）に汎用の取付手段（ビスやボルト等）にて固定可能とされたもので、図５〜７に示すように、例えば金属製のフレームｆ１を骨格として、その下部に腰板２ａが取り付けられるとともに上部に幕板２ｂが取り付けられ、腰板２ａの上部には、膳板２ｃが遊技者の着座側に突出形成されている。パチンコ遊技機Ｐは、図５に示すように、膳板２ｃと幕板２ｂとの間に設置されるとともに、幕板２ｂには、パチンコ遊技機Ｐの各種情報やスタッフの呼び出しボタン等が配設された操作表示部Ｒが配設されている。
【００１８】
フレームｆ１は、図７に示すように、高さ寸法ｈ及び幅寸法ｗに設定された枠体から成るもので、パチンコ遊技機Ｐの固定部位（膳板２ｃ）の高さは、予め当該パチンコ遊技機Ｐの仕様に応じた寸法に設定されている。然るに、フレームｆ１の所定部位には、島設備１のフレームＦと固定させるための取付部位が形成されており、当該フレームＦに対してフレームｆ１（即ち、第１ユニット部材２）が脱着可能とされている。
【００１９】
第２ユニット部材３は、第１ユニット部材２と同様、島設備１のフレームＦにおける任意部位（遊技機の設置部位）に汎用の取付手段（ビスやボルト等）にて固定可能とされたもので、図８〜１０に示すように、例えば金属製のフレームｆ２を骨格として、その下部に腰板３ａが取り付けられるとともに上部に幕板３ｂが取り付けられ、腰板３ａの上部には取付板３ｃが、幕板３ｂの下部には棚板３ｄがそれぞれ遊技者の着座側に突出形成されている。スロットマシンＳは、図８に示すように、取付板３ｃと棚板３ｄとの間に設置されるとともに、幕板３ｂには、スロットマシンＳの各種情報やスタッフの呼び出しボタン等が配設された操作表示部Ｒが配設されている。
【００２０】
フレームｆ２は、図１０に示すように、高さ寸法ｈ及び幅寸法ｗに設定された枠体から成るもので、スロットマシンＳの固定部位（取付板３ｃ）の高さは、予め当該スロットマシンＳの仕様に応じた寸法に設定されている。すなわち、パチンコ遊技機Ｐを取付可能なフレームｆ１とスロットマシンＳを取付可能なフレームｆ２とは、同一に設定されており、互いに交換可能となっているのである。然るに、フレームｆ２の所定部位には、島設備１のフレームＦと固定させるための取付部位が形成されており、当該フレームＦに対してフレームｆ２（即ち、第２ユニット部材３）が脱着可能とされている。
【００２１】
このように、本実施形態におけるユニット部材（第１ユニット部材２及び第２ユニット部材３）は、取り付ける遊技機に応じて当該遊技機を固定させる固定部位の高さを異ならせて成るとともに、その意匠面（腰板や幕板の意匠）を取り付ける遊技機に応じたものとすることができる。即ち、第１ユニット部材２及び第２ユニット部材３の骨格となるフレームｆ１及びｆ２の寸法を共通化することにより、互いの交換を容易に行わせることができるのである。
【００２２】
然るに、遊技者のニーズや遊技店側の都合により、パチンコ遊技機ＰをスロットマシンＳに交換する場合、島設備１に固定された第１ユニット部材２を取り外し、その部位に第２ユニット部材３を固定させた後、スロットマシンＳを取り付けることができるとともに、スロットマシンＳをパチンコ遊技機Ｐに交換する場合、島設備１に固定された第２ユニット部材３を取り外し、その部位に第１ユニット部材２を固定させた後、パチンコ遊技機Ｐを取り付けることができる。このような交換は、島設備１の全体の遊技機を交換する際に行うことができるとともに、例えば図１１に示すように、パチンコ遊技機Ｐが設置された列の一部（同図中左側半分）をスロットマシンＳに交換することができる。
【００２３】
本実施形態によれば、遊技機（パチンコ遊技機Ｐ又はスロットマシンＳ）の設置部位に脱着可能とされるとともに任意の遊技機（パチンコ遊技機Ｐ又はスロットマシンＳ）を取り付け可能なユニット部材（第１ユニット部材２及び第２ユニット部材３）を具備したので、容易な作業で且つ低コストにて設置する遊技機を変更させることができる。特に、同一の島設備１に互いに異なる遊技機を容易な作業で且つ低コストにて設置させることができ、そのレイアウトも容易且つ低コストにて変更可能である。
【００２４】
また、ユニット部材（第１ユニット部材２及び第２ユニット部材３）に取り付ける遊技機は、遊技球を使用して遊技するパチンコ遊技機Ｐ又はコインを使用して遊技するスロットマシンＳの何れか任意に設定されるとともに、当該ユニット部材（第１ユニット部材２及び第２ユニット部材３）は、取り付ける遊技機（パチンコ遊技機Ｐ又はスロットマシンＳ）に応じて当該遊技機を固定させる固定部位の高さを異ならせて成るので、遊技機を最適の設置高さに保持して取り付けることができる。
【００２５】
さらに、第１ユニット部材２に取り付けられるパチンコ遊技機Ｐは、それぞれの遊技機において払出された遊技球を計数して遊技可能とされたので、パチンコ遊技機Ｐの遊技球を扱うための装置（例えば補給タンク等）を小型化することができ、同一の島設備１にパチンコ遊技機ＰとスロットマシンＳとを混在させて設置する場合、パチンコ遊技機Ｐで使用される遊技球の供給手段や回収手段等の設備と、スロットマシンＳで使用されるコインの供給手段や回収手段等の設備とが干渉してしまうのを回避することができる。
【００２６】
第２ユニット部材３に取り付けられるスロットマシンＳは、それぞれの遊技機において手作業でコインを回収及び補給して遊技可能とされたので、スロットマシンＳのコインを扱うための装置を小型化することができ、同一の島設備１にパチンコ遊技機ＰとスロットマシンＳとを混在させて設置する場合、パチンコ遊技機Ｐで使用される遊技球の供給手段や回収手段等の設備と、スロットマシンＳで使用されるコインの供給手段や回収手段等の設備とが干渉してしまうのを回避することができる。
【００２７】
以上、本実施形態について説明したが、本発明はこれに限定されるものではなく、例えば第１ユニット部材２に取り付けられるパチンコ遊技機は、それぞれの遊技機において払出された遊技球を計数して遊技可能なものに限定されず、汎用的なドル箱に払出された遊技球を収容させるもの或いは単独の遊技機にて遊技球が循環するもの（所謂封入式パチンコ遊技機と称されるもの）等としてもよい。また、第２ユニット部材３に取り付けられるスロットマシンは、それぞれの遊技機において手作業でコインを回収及び補給して遊技可能なものに限定されず、島設備１内に各スロットマシンにメダルを自動的に補給して回収する手段を設置したものとしてもよい。なお、本実施形態においては、遊技機としてパチンコ遊技機ＰとスロットマシンＳとを配設させるものとされているが、他の形態の遊技機（例えば、遊技球やメダルとは異なる遊技媒体を使って遊技可能なもの）を配設させるものであってもよい。
【産業上の利用可能性】
【００２８】
遊技機の設置部位に脱着可能とされるとともに任意の遊技機を取り付け可能なユニット部材を具備した島設備であれば、外観形状が異なるもの或いは他の機能が付加されたもの等としてもよい。
【符号の説明】
【００２９】
１  島設備
２  第１ユニット部材
３  第２ユニット部材
４  洗浄装置
５  揚送機
６  補給タンク
７  補給樋
８  回収レール
９  ジョッキ
１０  リフタ
１１、１２  投入口
Ｐ  パチンコ遊技機
Ｓ  スロットマシン
【図１】
2012139400.tif 000003
【図２】
2012139400.tif 000004
【図３】
2012139400.tif 000005
【図４】
2012139400.tif 000006
【図５】
2012139400.tif 000007
【図６】
2012139400.tif 000008
【図７】
2012139400.tif 000009
【図８】
2012139400.tif 000010
【図９】
2012139400.tif 000011
【図１０】
2012139400.tif 000012
【図１１】
2012139400.tif 000013